(57)【要約】      （修正有）【課題】泡状消火薬剤を遠距離まで且つ広範囲に十分に散布することができる消火用泡ヘッドを提供する。【解決手段】先端側にノズル部１を有し後端側に泡消火薬剤を圧送する配管２に接続される接続部３を有する筒状のヘッド本体４と、発泡用スクリーン５と、デフレクター６を備えた消火用泡ヘッドにおいて、デフレクターを発泡用スクリーンの外側に配置することにより、ノズル部から噴射した泡消火薬剤を、直に発泡用スクリーンに衝突させ通過させ、泡状となった泡状消火薬剤の勢いを保有させたままデフレクターに衝突させるようにすることにより、泡状消火薬剤を遠距離まで且つ広範囲に散布することができるようにした。【選択図】図１
0003215270.tif 000002
【実用新案登録請求の範囲】
【請求項１】
先端側にノズル部を有し後端側に泡消火薬剤を圧送する配管に接続される接続部を有する筒状のヘッド本体と、発泡用スクリーンと、デフレクターを備えた消火用泡ヘッドにおいて、
前記デフレクターは前記発泡用スクリーンの外側に配置されていることを特徴とする消火用泡ヘッド。
【請求項２】
前記発泡用スクリーンは、前記ヘッド本体の先端に設けられ周囲に空気取り入れ口を有するフランジに取り付けられており、前記デフレクターは、前記ヘッド本体の中心軸上に位置して基端が前記ヘッド本体に固定され先端部が前記発泡用スクリーンを貫通するアームの前記先端部に取り付けられていることを特徴とする請求項１に記載の消火用泡ヘッド。
【請求項３】
前記フランジに取り付けられている前記発泡用スクリーンは、複数枚であることを特徴とする請求項２に記載の消火用泡ヘッド。
【考案の詳細な説明】
【技術分野】
【０００１】
本考案は、液状の泡消火薬剤を発泡させ広範囲に散布させて消火するための消火用泡ヘッドに関する。
【背景技術】
【０００２】
駐車場などの油火災を対象とした泡消火設備にあって、配管から圧送されてきた液状の泡消火薬剤を発泡させ広範囲に散布させる消火用泡ヘッドが使用されている。
従来、泡消火設備に使用されている消火用泡ヘッドとして、泡消火薬剤が圧送される配管に接続されるノズル部と、ノズル部の先端側に間隔を空けて配置されたデフレクターと、デフレクターの外側に、デフレクターを覆うように配置された発泡用スクリーンを備えた消火用泡ヘッドが知られている（例えば、特許文献１、２参照。）。
特許文献１，２に記載されている消火用泡ヘッドでは、ノズル部から噴射した泡消火薬剤がデフレクターに衝突して発泡を促されながら四方へ拡散し、拡散した泡消火薬剤が発泡用スクリーンに衝突し通過することにより砕かれ発泡し、泡状消火薬剤となって散布される。
【先行技術文献】
【特許文献】
【０００３】
【特許文献１】特開平６−５４９２０号公報
【特許文献２】実公昭５７−５７７１７号公報
【考案の概要】
【考案が解決しようとする課題】
【０００４】
泡消火設備における消火用泡ヘッドには、効果的な消火を図るために、優れた発泡性能とともに、泡状となった消火薬剤はできるだけ遠距離まで且つ広範囲に散布されることが求められる。
しかし、上記特許文献１，２に記載された消火用泡ヘッドにあっては、消火用泡ヘッドでは、ノズル部から噴射した泡消火薬剤をデフレクターに衝突さて拡散させ、拡散した泡消火薬剤を発泡用スクリーンに衝突させ通過させ散布するので、泡消火薬剤がデフレクターに衝突することにより勢いが減少し、しかも発泡を促され泡が混在した泡消火薬剤が発泡用スクリーンに衝突し通過するので、泡消火薬剤に混在する泡が抵抗となって発泡用スクリーンを通過した泡状消火薬剤の勢いは一段と減少することになり、泡状消火薬剤を遠距離まで且つ広範囲に十分に散布することができないといった問題があった。
本考案者等はかかる問題を解決すべく実験を重ねた結果、デフレクターを発泡用スクリーンの外側に配置することに着目し、本考案を成すに至った。
【０００５】
本考案の目的は、泡状消火薬剤を遠距離まで且つ広範囲に十分に散布することができる消火用泡ヘッドを提供することにある。
【課題を解決するための手段】
【０００６】
上記の目的を達成するために、請求項１に記載の考案は、先端側にノズル部を有し後端側に泡消火薬剤を圧送する配管に接続される接続部を有する筒状のヘッド本体と、発泡用スクリーンと、デフレクターを備えた消火用泡ヘッドにおいて、前記デフレクターは前記発泡用スクリーンの外側に配置されていることを特徴とする。
【０００７】
請求項１に記載の考案によれば、前記デフレクターは前記発泡用スクリーンの外側に配置されているので、ノズル部から噴射した泡消火薬剤は、直に発泡用スクリーンに衝突し通過することから、発泡用スクリーンを通過して泡状となった泡状消火薬剤の勢いの減少率が少なく、勢いを保有したままデフレクターに衝突し拡散するので、従来の消火用泡ヘッドに比べ、泡状消火薬剤を遙かに遠距離まで且つ広範囲に散布することができる。
【０００８】
請求項２に記載の考案は、請求項１に記載の、前記発泡用スクリーンは、前記ヘッド本体の先端に設けられ周囲に空気取り入れ口を有するフランジに取り付けられており、前記デフレクターは、前記ヘッド本体の中心軸上に位置して基端が前記ヘッド本体に固定され先端部が前記発泡用スクリーンを貫通するアームの前記先端部に取り付けられていることを特徴とする。
【０００９】
請求項２に記載の考案によれば、前記デフレクターは、前記ヘッド本体の中心軸上に位置して基端が前記ヘッド本体に固定され先端部が前記発泡用スクリーンを貫通するアームの前記先端部に取り付けられているので、前記アームが泡状消火薬剤の散布の妨げにならず、広範囲に均一に散布することができる。
【００１０】
請求項３に記載の考案は、請求項２に記載の、前記フランジに取り付けられている前記発泡用スクリーンは、複数枚であることを特徴とする。
【００１１】
請求項３に記載の考案によれば、前記フランジに取り付けられている前記発泡用スクリーンは、複数枚であるので、ノズル部から噴射した泡消火薬剤は、発泡用スクリーンに複数回衝突し通過することになり、発泡倍率の高い泡状消火薬剤を生成し、散布することができる。
【考案の効果】
【００１２】
本考案に係る消火用泡ヘッドによれば、従来の消火用泡ヘッドに比べ、泡状消火薬剤を遙かに遠距離まで且つ広範囲に散布することができる。
【図面の簡単な説明】
【００１３】
【図１】本考案に係る消火用泡ヘッドの実施の形態の第１例を示す概略縦断面図である。
【図２】本考案に係る消火用泡ヘッドの実施の形態の第２例を示す概略縦断面図である。
【考案を実施するための形態】
【００１４】
以下、本考案に係る消火用泡ヘッドの実施の形態を図面を参照して詳細に説明する。
図１は本考案に係る消火用泡ヘッドの実施の形態の第１例を示す概略縦断面図である。
【００１５】
第１例の消火用泡ヘッドは、先端側にノズル部１を有し後端側に泡消火薬剤を圧送する配管２に接続される接続部３を有する筒状のヘッド本体４と、発泡用スクリーン５と、デフレクター６を備えている。
【００１６】
ヘッド本体４は、内部が配管２から圧送されてくる泡消火薬剤の流路７となっている。そして、ヘッド本体４の先端側に有するノズル部１は、流路７を流れる泡消火薬剤を噴射する噴射口１ａを有し、噴射口１ａは先端方向に向かって拡開するテーパー状に形成され、泡消火薬剤を拡散方向に噴射するようになっている。また、ヘッド本体４の後端側に有する接続部３は、外周に雄ねじが形成され、配管２にねじ込みにより接続されるようになっている。
【００１７】
また、ヘッド本体４の先端には、周囲に空気取り入れ口８を有するフランジ９が設けられており、フランジ９には発泡用スクリーン５が取り付けられている。本例では、略椀状に形成された発泡用スクリーン５の外周縁部５ａをフランジ９に当接させ、フランジ９の外周端縁９ａを内側にかしめることにより、フランジ９に発泡用スクリーン５を取り付けている。
【００１８】
また、ヘッド本体４には、ヘッド本体４の中心軸上に位置して基端がヘッド本体４に固定され先端部が発泡用スクリーン５を貫通し、発泡用スクリーン５の外に突出するアーム１０が設けられている。
第１例では、アーム１０の基端はヘッド本体４内に設けられている支持体１１に支持されて、流路７及びノズル部１の噴射口１ａの中心を通るように構成されている。流路７及びノズル部１の噴射口１ａを通るアーム１０は、流路７内を流れる泡消火薬剤の流量及びノズル部１の噴射口１ａから噴射される泡消火薬剤の噴射量を損なわない形状や太さとなっている。アーム１０を支持する支持体１１には、泡消火薬剤を通す複数の孔１２が設けられている。
【００１９】
発泡用スクリーン５を貫通し、発泡用スクリーン５の外に突出するアーム１０の先端部には、デフレクター６が取り付けられている。第１例では、デフレクター６は平板円状に形成されているが、これに限定されるものではなく、後述する泡状消火薬剤を広範囲に拡散し散布できればよい。
【００２０】
このように構成された第１例の消火用泡ヘッドによれば、デフレクター６は発泡用スクリーン５の外側に配置されているので、ノズル部１から噴射した泡消火薬剤は、直に発泡用スクリーン５に衝突し通過することから、発泡用スクリーン５を通過して泡状となった泡状消火薬剤の勢いの減少率が少なく、勢いを保有したままデフレクター６に衝突し拡散するので、従来の消火用泡ヘッドに比べ、泡状消火薬剤を遙かに遠距離まで且つ広範囲に散布することができる。
【００２１】
また、第１例では、先端部にデフレクター６を取り付けているアーム１０は、その基端がヘッド本体４内に設けられている支持体１１に支持されて、流路７及びノズル部１の噴射口１ａの中心を通り、先端部が発泡用スクリーン５を貫通し、その先端部が発泡用スクリーン５の外に突出するように構成され、且つ流路７内を流れる泡消火薬剤の流量及びノズル部１の噴射口１ａから噴射される泡消火薬剤の噴射量を損なわない形状や太さとなっているので、アーム１０が泡状消火薬剤の散布の妨げにならず、広範囲に均一に散布することができる。
【００２２】
図２は本考案に係る消火用泡ヘッドの実施の形態の第２例を示す概略縦断面図である。
第２例の消火用泡ヘッドについて、第１例と同一の構成については同一の符号を付してその説明を省略し、第１例と異なる構成についてのみ説明する。
第２例では、フランジ９に、２枚の発泡用スクリーン５が所定の間隔を空けて上下に重ねて取り付けられている。第２例では２枚の発泡用スクリーン５が重ねて取り付けられているが、２枚以上であってもよい。
その他の構成は第１例と同一なので、第１例の説明を援用する。
【００２３】
このように構成された第２例の消火用泡ヘッドによれば、フランジ９に取り付けられている発泡用スクリーン５は２枚であるので、ノズル部１から噴射した泡消火薬剤は、発泡用スクリーン５に２回衝突し通過することになり、発泡倍率の高い泡状消火薬剤を生成し、散布することがことができる。その他の効果は第１例と同様なので、第１例を援用する。
【符号の説明】
【００２４】
１  ノズル部
１ａ  噴射口
２  配管
３  接続部
４  ヘッド本体
５  発泡用スクリーン
５ａ  外周縁部
６  デフレクター
７  流路
８  空気取り入れ口
９  フランジ
９ａ  外周端縁
１０  アーム
１１  支持体
１２  孔
【図１】
0003215270.tif 000003
【図２】
0003215270.tif 000004